(57)【要約】【課題】外部記憶装置への情報の待避のみを行う場合と比較して、記憶手段の記憶領域に記憶された情報に対する不正な操作に対処することができる情報処理装置、プログラム、及び情報処理システムを提供する。【解決手段】ＨＤＤ６０の記憶領域から情報を読み出すための不正な操作が行われ、かつオンラインストレージ１４に対して情報の書き込みが可能な場合に、記憶領域に記憶された情報をオンラインストレージ１４へ書き込むとと共に記憶領域から消去する制御を行う。【選択図】図７
2010262518.tif 000002
【特許請求の範囲】
【請求項１】
情報を記憶する記憶領域が設けられた記憶手段と、
外部に設けられた外部記憶装置に記憶された情報及び前記記憶手段に記憶された情報の更新を行う更新手段と、
前記記憶領域に記憶された情報に対する不正な操作が行われる状況の発生が判定されると共に、前記更新手段が前記外部記憶装置に記憶された情報及び前記記憶手段に記憶された情報の更新が可能な場合に、前記記憶領域に記憶された情報を前記外部記憶装置に記憶させ、かつ該情報を前記記憶領域から削除する更新が行われるように前記更新手段を制御する制御手段と、
を備えた情報処理装置。
【請求項２】
情報を記憶する記憶領域が設けられた記憶手段と、
前記記憶手段に記憶された情報の更新を行う更新手段と、
外部に設けられた外部記憶装置に、該外部記憶装置に記憶された情報の更新を指示する指示手段と、
前記記憶領域に記憶された情報に対する不正な操作が行われる状況の発生が判定されると共に、前記更新手段が情報の更新が可能で、かつ前記指示手段が更新の指示が可能な場合に、前記記憶領域に記憶された情報を前記外部記憶装置に記憶させる指示が行われ、かつ該情報を前記記憶領域から削除する更新が行われるように前記更新手段及び前記指示手段を制御する制御手段と、
を備えた情報処理装置。
【請求項３】
前記制御手段は、前記記憶領域に記憶された情報に対する不正な操作が行われる状況が発生していないと判定された場合に、前記記憶領域に記憶された情報と前記外部記憶装置された情報とを対応させる同期処理を行う
請求項１又は請求項２記載の情報処理装置。
【請求項４】
前記制御手段は、外部から通知を受け付けた場合に、前記記憶領域に記憶された情報に対する不正な操作が行われる状況が発生したと判定する
請求項１〜請求項３の何れか１項記載の情報処理装置。
【請求項５】
コンピュータを、
外部に設けられた外部記憶装置に記憶された情報及び情報を記憶する記憶領域が設けられた記憶手段に記憶された情報の更新を行う更新手段と、
前記記憶領域に記憶された情報に対する不正な操作が行われる状況の発生が判定されると共に、前記更新手段が前記外部記憶装置に記憶された情報及び前記記憶手段に記憶された情報の更新が可能な場合に、前記記憶領域に記憶された情報を前記外部記憶装置に記憶させ、かつ該情報を前記記憶領域から削除する更新が行われるように前記更新手段を制御する制御手段と、
として機能させるためのプログラム。
【請求項６】
情報保管用として記憶領域を提供する外部記憶装置と、
前記請求項１〜請求項４の何れか１項記載の情報処理装置と、
を有する情報処理システム。
【発明の詳細な説明】
【技術分野】
【０００１】
この発明は、情報処理装置、プログラム、及び情報処理システムに関する。
【背景技術】
【０００２】
特許文献１には、コンピュータ・システムにおいて、ネットワークを形成するために、それぞれがストレージを有する複数のワークステーションと接続されているサーバであって、複数のストレージ装置を有するサーバを備えており、１つのワークステーションのストレージが、満杯テストにおいて満杯である場合、ストレージから選択されたデータが、サーバの複数のストレージ装置の１つに自動的に移されるコンピュータ・システムが記載されている。
【０００３】
特許文献２には、利用者の計算機システムと利用者のストレージシステムとが接続され、利用者のストレージシステムとアウトソースのストレージシステムとが通信ネットワークを介して接続されるストレージネットワークシステムのストレージ方法において、利用者の計算機システムにおいてデータを保存する要求が発生すると、データを利用者のストレージシステムに送信し、利用者のストレージシステムは利用者の計算機システムからデータを受信すると、当該データを保存する容量を有しているか否かを判断し、当該判断の結果、データを保存する容量を有していない場合、利用者のストレージシステムはデータをアウトソースのストレージシステムに送信し、アウトソースのストレージシステムは、利用者のストレージシステムからデータを受信すると、データを保存するストレージネットワークシステムのストレージ方法が記載されている。
【０００４】
特許文献３には、記憶装置及びその制御装置をそれぞれ有する主記憶システムと副記憶システムとを備えたストレージシステムであって、主記憶システムの記憶装置と副記憶システムの記憶装置とは、互いに通信回線で接続されるとともに、リモートコピー手段をそれぞれ備え、少なくとも主記憶システムの制御装置は、リモートコピー手段を制御するためのリモートコピー制御手段を備えており、リモートコピー制御手段は、主記憶システムの記憶装置に記憶されている所定のデータを副記憶システム側へ転送させるデータ転送命令を記憶装置のリモートコピー手段へ発し、データ転送命令を受けたリモートコピー手段は、データを記憶装置から読み出して通信回線を介して副記憶システムのリモートコピー手段へ送信し、副記憶システムのリモートコピー手段は、受信したデータを副記憶システムの記憶装置に格納するストレージシステムが記載されている。
【先行技術文献】
【特許文献】
【０００５】
【特許文献１】特開２００１−１８４３２９号公報
【特許文献２】特開２００６−４０７１号公報
【特許文献３】特開２００３−２４８６０５号公報
【発明の概要】
【発明が解決しようとする課題】
【０００６】
本発明は、外部記憶装置への情報の待避のみを行う場合と比較して、記憶手段の記憶領域に記憶された情報に対する不正な操作に対処することができる情報処理装置、プログラム、及び情報処理システムを提供することを目的とする。
【課題を解決するための手段】
【０００７】
請求項１に記載の発明は、情報を記憶する記憶領域が設けられた記憶手段と、外部に設けられた外部記憶装置に記憶された情報及び前記記憶手段に記憶された情報の更新を行う更新手段と、前記記憶領域に記憶された情報に対する不正な操作が行われる状況の発生が判定されると共に、前記更新手段が前記外部記憶装置に記憶された情報及び前記記憶手段に記憶された情報の更新が可能な場合に、前記記憶領域に記憶された情報を前記外部記憶装置に記憶させ、かつ該情報を前記記憶領域から削除する更新が行われるように前記更新手段を制御する制御手段と、を備えている。
【０００８】
一方、請求項２に記載の発明は、情報を記憶する記憶領域が設けられた記憶手段と、前記記憶手段に記憶された情報の更新を行う更新手段と、外部に設けられた外部記憶装置に、該外部記憶装置に記憶された情報の更新を指示する指示手段と、前記記憶領域に記憶された情報に対する不正な操作が行われる状況の発生が判定されると共に、前記更新手段が情報の更新が可能で、かつ前記指示手段が更新の指示が可能な場合に、前記記憶領域に記憶された情報を前記外部記憶装置に記憶させる指示が行われ、かつ該情報を前記記憶領域から削除する更新が行われるように前記更新手段及び前記指示手段を制御する制御手段と、を備えている。
【０００９】
また、請求項３に記載の発明は、請求項１又は請求項２記載の発明において、前記制御手段が、前記記憶領域に記憶された情報に対する不正な操作が行われる状況が発生していないと判定された場合に、前記記憶領域に記憶された情報と前記外部記憶装置された情報とを対応させる同期処理を行う。
【００１０】
また、請求項４に記載の発明は、請求項１〜請求項３の何れか１項記載の発明において、前記制御手段が、外部から通知を受け付けた場合に、前記記憶領域に記憶された情報に対する不正な操作が行われる状況が発生したと判定する。
【００１１】
一方、請求項５に記載の発明のプログラムは、コンピュータを、
外部に設けられた外部記憶装置に記憶された情報及び情報を記憶する記憶領域が設けられた記憶手段に記憶された情報の更新を行う更新手段と、前記記憶領域に記憶された情報に対する不正な操作が行われる状況の発生が判定されると共に、前記更新手段が前記外部記憶装置に記憶された情報及び前記記憶手段に記憶された情報の更新が可能な場合に、前記記憶領域に記憶された情報を前記外部記憶装置に記憶させ、かつ該情報を前記記憶領域から削除する更新が行われるように前記更新手段を制御する制御手段と、として機能させる。
【００１２】
さらに、請求項６に記載の発明の情報処理システムは、情報保管用として記憶領域を提供する外部記憶装置と、前記請求項１〜請求項４の何れか１項記載の情報処理装置と、を有している。
【発明の効果】
【００１３】
請求項１、請求項２、請求項５及び請求項６に記載の発明によれば、外部記憶装置への情報の待避のみを行う場合と比較して、記憶手段の記憶領域に記憶された情報に対する不正な操作に対処することができる、という優れた効果を有する。
【００１４】
また、請求項３に記載の発明によれば、記憶領域に記憶された情報と外部記憶装置された情報との同期を行わない場合と比較して、不正な操作への対処に必要な時間が短縮される、という優れた効果を有する。
【００１５】
また、請求項３に記載の発明によれば、記憶領域に記憶された情報に対して不正な操作が行われていなくても、記憶手段の記憶領域に記憶された情報が消去される、という優れた効果を有する。
【図面の簡単な説明】
【００１６】
【図１】実施の形態に係る情報システムの全体構成を示すブロック図である。
【図２】実施の形態に係るＰＣの概略構成を示すブロック図である。
【図３】実施の形態に係るＰＣとオンラインストレージの情報の同期を概念的に示した概念図である。
【図４】実施の形態に係る同期処理プログラムの処理の流れを示すフローチャートである。
【図５】実施の形態に係るＰＣへの状態情報の通知を概念的に示した概念図である。
【図６】実施の形態に係る不正操作判定処理プログラムの処理の流れを示すフローチャートである。
【図７】実施の形態に係る情報漏洩防止処理プログラムの処理の流れを示すフローチャートである。
【図８】他の実施の形態に係るＰＣへの状態情報の通知を概念的に示した概念図である。
【図９】他の形態に係る情報漏洩防止処理プログラムの処理の流れを示すフローチャートである。
【発明を実施するための形態】
【００１７】
以下、図面を参照して、本発明の実施の形態について詳細に説明する。なお、以下では、情報処理装置であるパーソナル・コンピュータ（以下「ＰＣ」という。）と、インターネット等のネットワークを通じて記憶領域を提供する外部記憶装置であるオンラインストレージとがネットワークを介して接続された情報システムに本発明を適用した場合について説明する。
【００１８】
図１には、本実施の形態に係る情報システム１０の全体的な概略構成が示されている。
【００１９】
同図に示されるように、情報システム１０では、複数（本実施の形態では例えば３台）のＰＣ１２と、オンラインストレージ１４とが、ネットワーク１８を介して接続されている。
【００２０】
オンラインストレージ１４は、サーバ・コンピュータにより構成され、ネットワークを通じて当該サーバー・コンピュータに設けられたＨＤＤ（ハード・ディスク・ドライブ）の記憶領域を個別にユーザに割り当てて情報保管用として貸し出すサービスを提供している。
【００２１】
一方、本実施の形態に係るＰＣ１２は、例えば、ユーザが携帯可能な携帯情報処理装置としてのノートパソコンとして構成され、有線ＬＡＮ（Local Area Network）等の有線通信や、無線ＬＡＮ、携帯電話等の無線通信を利用してネットワーク１８に接続し、オンラインストレージ１４との間で情報の送受信を行う。なお、図１は、一例として、ＰＣ１２が有線通信を利用してネットワーク１８に接続した形態を示している。なお、携帯情報処理装置としては、ノートパソコンの他、ＰＤＡ（Personal Digital Assistants）、及び携帯電話を用いることができる。
【００２２】
図２には、本実施の形態に係る情報システム１０の詳細な構成が示されている。なお、各ＰＣ１２は同様の構成であるため、図２では、１台のＰＣ１２とオンラインストレージ１４について詳細に説明する。また、図２は、ＰＣ１２が無線通信を利用してネットワーク１８に接続した形態を示している。
【００２３】
ＰＣ１２は、操作メニュー及びメッセージ等を表示するディスプレイ５０と、ユーザからの各種の操作指示が入力されるキーボード及びポインティングデバイス（ここでは、例えばトラックパッド）等の操作入力部５２と、を備えている。
【００２４】
また、ＰＣ１２は、装置全体の動作を司るＣＰＵ（中央処理装置）５４と、制御プログラムを含む各種プログラム等が予め記憶された記録媒体としてＲＯＭ（Read Only Memory）５６と、各種情報を一時的に記憶するＲＡＭ５８（Random Access Memory）と、インストールされた各種のアプリケーションソフトや各種情報を記憶して保持するＨＤＤ６０と、ディスプレイ５０への各種情報の表示を制御するディスプレイ・ドライバ６２と、操作入力部５２に対する操作状態を検出する操作入力検出部６４と、ネットワーク１８と無線通信を行うための無線通信Ｉ／Ｆ部６６と、ネットワーク１８と有線通信を行うための有線通信Ｉ／Ｆ部６８と、を備えている。
【００２５】
ＣＰＵ５４、ＲＯＭ５６、ＲＡＭ５８、ＨＤＤ６０、ディスプレイ・ドライバ６２、操作入力検出部６４、無線通信Ｉ／Ｆ部６６、及び有線通信Ｉ／Ｆ部６８は、システムバスＢＵＳを介して相互に接続されている。従って、ＣＰＵ５４は、ＲＯＭ５６、ＲＡＭ５８、及びＨＤＤ６０へのアクセスを行うと共に、ディスプレイ・ドライバ６２を介したディスプレイ５０への各種情報の表示の制御、無線通信Ｉ／Ｆ部６６及び有線通信Ｉ／Ｆ部６８を介したネットワーク１８との情報の送受信の制御を行う。また、ＣＰＵ５４は、操作入力検出部６４を介して操作入力部５２に対するユーザの操作状態を把握する。
【００２６】
次に、本実施の形態に係る情報システム１０の作用を説明する。
【００２７】
ユーザは、ＰＣ１２にインストールされた各種のアプリケーションソフトを用いて作業を行い、各種の情報を作成する。作成された情報は、ＰＣ１２のＨＤＤ６０に記憶される。ＨＤＤ６０には、図３に示すように、通常の情報を記憶する通常記憶領域（通常フォルダ６０Ａ）と特定の情報を記憶する特定記憶領域（特定フォルダ６０Ｂ）とが設けられている。本実施の形態では、特定フォルダ６０Ｂをユーザの個人情報及び社外秘情報などの漏洩させたくない情報用の記憶領域としている。
【００２８】
一方、本実施の形態に係るＰＣ１２は、無線通信Ｉ／Ｆ部６６及び有線通信Ｉ／Ｆ部６８を介してオンラインストレージ１４と通信を行えるか否かを定期的に判定しており、オンラインストレージ１４と通信が行える場合に、ＨＤＤ６０の特定フォルダ６０Ｂに記憶された情報とオンラインストレージ１４のユーザに割り当てられた記憶領域に記憶された情報とが同じとなるように同期させる制御を行っている。よって、ユーザがＰＣ１２のアプリケーションソフトを用いて作成された情報をＨＤＤ６０の特定フォルダ６０Ｂに記憶させることにより、当該作成された情報はオンラインストレージ１４に記憶される。なお、オンラインストレージ１４と通信を行えるか否かの判定及び下記の同期処理プログラムはランダムなタイミングで実行してもよい。
【００２９】
図４には、オンラインストレージ１４と通信が行える場合に定期的（例えば、３０分に１回）にＣＰＵ５４により実行される同期処理プログラムの処理の流れを示すフローチャートが示されている。なお、当該プログラムは記録媒体としてのＨＤＤ６０に予め記憶されている。
【００３０】
同図のステップ１００では、ＨＤＤ６０の特定フォルダ６０Ｂに記憶された情報とオンラインストレージ１４のユーザに割り当てられた記憶領域に記憶された情報との間でファイル名や作成日時、変更日時などのタイムスタンプを比較する。
【００３１】
ステップ１０２では、比較結果に基づいて、ＨＤＤ６０の特定フォルダ６０Ｂに情報の追加、情報の変更、及び情報の削除の何れかが行われたか否かを判定し、肯定判定となった場合はステップ１０４へ移行し、否定判定となった場合は処理を終了する。
【００３２】
ステップ１０４では、追加及び変更された情報をオンラインストレージ１４に送信して情報の書き込みを行うと共に、削除された情報をオンラインストレージ１４から削除する更新を行い、更新の完了後、処理を終了する。オンラインストレージ１４への情報の追加、変更及び削除は、ＰＣ１２が制御してもよく、また、ＰＣ１２が指示を送信してオンラインストレージ１４側で制御してもよい。
【００３３】
この同期処理プログラムによる同期処理の結果、ＨＤＤ６０の特定フォルダ６０Ｂに記憶された情報とオンラインストレージ１４のユーザに割り当てられた記憶領域に記憶された情報は対応することになる。
【００３４】
なお、本実施の形態に係る同期処理プログラムでは、ＨＤＤ６０の特定フォルダ６０Ｂに記憶された情報とオンラインストレージ１４のユーザに割り当てられた記憶領域に記憶された情報とを比較し、比較の結果、情報が異なる場合に、当該異なる情報の追加、変更、及び削除を行う場合について説明したが、例えば、ＨＤＤ６０の特定フォルダ６０Ｂに記憶された情報とオンラインストレージ１４のユーザに割り当てられた記憶領域に記憶された情報とを一旦同期させた後はＨＤＤ６０の特定フォルダ６０Ｂに対して情報の追加、変更、及び削除が行われたか否かをフラグ等よって記憶するようにし、情報の追加、変更、及び削除が行われた場合に、追加及び変更された情報をオンラインストレージ１４に送信して情報の書き込みを行うと共に、削除された情報をオンラインストレージ１４から削除するようにしてもよい。
【００３５】
一方、本実施の形態に係るＰＣ１２は、ユーザのユーザＩＤ及びパスワードを予めＨＤＤ６０等に記憶しており、ユーザがＰＣ１２を使用する際にユーザＩＤ及びパスワードによりユーザの認証を行っている。
【００３６】
また、ＰＣ１２は、ＨＤＤ６０の特定フォルダ６０Ｂに記憶された情報に対して不正な操作が行われる状況が発生した場合、特定フォルダ６０Ｂに記憶された情報の情報漏洩を防ぐ制御を行っている。本実施の形態では、連続して規定回（例えば、５回）ユーザの認証が失敗した場合、及び外部から不正な操作が行われる状況が発生した通知を受け付けた場合に、不正な操作が行われる状況が発生したと判断する。オンラインストレージ１４は、ユーザ毎に、図５に示すように、特定フォルダ６０Ｂに記憶された情報に対して不正な操作が行われる状況であるかを示す状態情報を記憶する記憶領域が設けられている。ユーザは、例えばＰＣ１２を紛失した場合、他のＰＣ等からオンラインストレージ１４に記憶された該ユーザの状態情報を変更する通知を行う。該通知により、ユーザの状態情報は、不正な操作が行われない状況から不正な操作が行われる状況に変更、記憶されることとなる。ＰＣ１２は、オンラインストレージ１４と通信が行える場合に一定期間毎に状態情報にアクセスして不正な操作が行われる状況であるか否かを判断する。
【００３７】
図６には、予め定められた頻度でＣＰＵ５４により実行される不正操作判定処理プログラムの処理の流れを示すフローチャートが示されている。なお、当該プログラムは記録媒体としてのＨＤＤ６０に予め記憶されている。
【００３８】
ステップ１２０では、連続して規定回（例えば、５回）ユーザの認証が失敗したか否かを判定し、肯定判定となった場合はステップ１２４へ移行し、否定判定となった場合はステップ１２２へ移行する。
【００３９】
ステップ１２２では、オンラインストレージ１４の状態情報にアクセスして当該状態情報が特定フォルダ６０Ｂに記憶された情報に対して不正な操作が行われる状況が発生したことを示しているか否かを判定し、肯定判定となった場合はステップ１２４へ移行し、否定判定となった場合は処理を終了する。
【００４０】
ステップ１２４では、後述する情報漏洩防止処理プログラムを実行して処理を終了する。
【００４１】
図７には、ＣＰＵ５４により実行される情報漏洩防止処理プログラムの処理の流れを示すフローチャートが示されている。なお、当該プログラムは記録媒体としてのＨＤＤ６０に予め記憶されている。
【００４２】
同図のステップ１５０では、オンラインストレージ１４と通信を行えるか否か判定し、肯定判定となった場合はステップ１５４へ移行し、否定判定となった場合はステップ１５２へ移行する。
【００４３】
ステップ１５２では、予め定められた待機期間（例えば、１０分間）の待機後、再度ステップ１５０へ移行する。
【００４４】
一方、ステップ１５４では、ＨＤＤ６０の特定フォルダ６０Ｂに記憶された情報とオンラインストレージ１４のユーザに割り当てられた記憶領域に記憶された情報との間でファイル名や作成日時、変更日時などのタイムスタンプを比較する。
【００４５】
ステップ１５６では、比較結果に基づいて、ＨＤＤ６０の特定フォルダ６０Ｂに情報の追加、情報の変更、及び情報の削除の何れかが行われたか否かを判定し、肯定判定となった場合はステップ１５８へ移行し、否定判定となった場合はステップ１６０へ移行する。
【００４６】
ステップ１５８では、追加及び変更された情報をオンラインストレージ１４に送信して情報の書き込みを行うと共に、削除された情報をオンラインストレージ１４から削除する更新を行う。
【００４７】
ステップ１６０では、ＨＤＤ６０の特定フォルダ６０Ｂに記憶された情報を削除し、削除完了後、処理を終了する。この情報の削除に際しては、削除対象の情報をＨＤＤ６０の記憶領域から復元できないようにするため、削除対象の情報が記憶されていた記憶領域にランダムな情報の書き込み、消去を複数回行ってもよい。
【００４８】
この情報漏洩防止処理プログラムの処理により、不正なユーザがＨＤＤ６０の特定フォルダ６０Ｂに記憶された情報を得ようとして不正な操作が行われた場合、ＨＤＤ６０の特定フォルダ６０Ｂに記憶された情報が削除され、削除された情報に対応する情報がオンラインストレージ１４に保存される。
【００４９】
また、ユーザがＨＤＤ６０の特定フォルダ６０Ｂに漏洩させたくない情報を記憶させたＰＣ１２を紛失した場合でも、他のＰＣ等からオンラインストレージ１４に記憶された該ユーザの状態情報を変更することにより、ＨＤＤ６０の特定フォルダ６０Ｂに記憶された情報が削除されるため、情報の漏洩が抑制される。
【００５０】
なお、上記実施の形態では、ユーザがＰＣ１２を使用する際のユーザの認証が連続して規定回失敗した場合に、特定フォルダ６０Ｂに記憶された情報に対して不正な操作が行われる状況が発生していると判定する場合について説明したが、本発明はこれに限定されるものではなく、例えば、ＨＤＤ６０の特定フォルダ６０Ｂに対してパスワードを設定して情報へのアクセスに認証を行うものとし、連続して規定回認証が失敗した場合、特定フォルダ６０Ｂに記憶された情報の情報漏洩を防ぐ制御を行うようにしてもよい。
【００５１】
また、上記実施の形態では、ＰＣ１２がオンラインストレージ１４に記憶された状態情報にアクセスすることにより特定フォルダ６０Ｂに記憶された情報に対して不正な操作が行われる状況が外部より通知される場合について説明したが、本発明はこれに限定されるものではなく、例えば、図８に示すように、ＰＣ１２の無線通信Ｉ／Ｆ部６６が携帯電話等の無線通信網に対応しており、ＰＣ１２に対して外部から情報の通知が行える場合、ＰＣ１２に対して無線通信網に介して外部から状態情報を通知するようにしてもよい。
【００５２】
また、上記実施の形態では、上記同期処理プログラムを定期的に実行してＨＤＤ６０の特定フォルダ６０Ｂに記憶された情報とオンラインストレージ１４のユーザに割り当てられた記憶領域に記憶された情報とを同期させる場合について説明したが、本発明はこれに限定されるものではなく、例えば、上記同期処理プログラムを実行せずに、特定フォルダ６０Ｂに記憶された情報に対して不正な操作が行われる状況が発生した場合に、特定フォルダ６０Ｂに記憶された情報をオンラインストレージ１４に送信してオンラインストレージ１４に保存するようにしてもよい。図９には、このように特定フォルダ６０Ｂに記憶された情報をオンラインストレージ１４に送信してオンラインストレージ１４に保存させる場合の情報漏洩防止処理プログラムの処理が示されている。図９に示す情報漏洩防止処理プログラムでは、ステップ１５９の処理において特定フォルダ６０Ｂに記憶された情報を全てオンラインストレージ１４に送信する。
【００５３】
また、上記実施の形態に係る同期処理プログラム、不正操作判定処理プログラム、及び情報漏洩防止処理プログラムは、ＨＤＤ６０に予め記憶しておく形態の他、ＲＯＭ５６に予め記憶しておく形態、ＣＤ−ＲＯＭやＤＶＤ−ＲＯＭ等のコンピュータ読み取り可能な記憶媒体に格納された状態で提供される形態、有線又は無線による通信手段を介して配信される形態等に適用することができる。
【符号の説明】
【００５４】
１０    情報システム
１２    ＰＣ
１４    オンラインストレージ
１８    ネットワーク
５４    ＣＰＵ
６０    ＨＤＤ
６０Ａ  特定フォルダ
６６    無線通信Ｉ／Ｆ部
６８    有線通信Ｉ／Ｆ部
【図１】
2010262518.tif 000003
【図２】
2010262518.tif 000004
【図３】
2010262518.tif 000005
【図４】
2010262518.tif 000006
【図５】
2010262518.tif 000007
【図６】
2010262518.tif 000008
【図７】
2010262518.tif 000009
【図８】
2010262518.tif 000010
【図９】
2010262518.tif 000011